【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
通信リンクの各伝送パスを介して、少なくとも２つのストリーミングデータ信号からのデータを送信するデータ送信手段と、
上記通信リンクを介して、少なくとも２つのベースクロック信号のタイミング情報を送信するタイミング送信手段と、
上記各伝送パスと、対応する上記ベースクロック信号の１つとの間の各関係を特定し、該伝送パスをいずれかのベースクロック信号に関連付けるコンフィグレーションデータを送信するコンフィグレーション送信手段と
を有する送信ノードと、
上記通信リンクの上記伝送パスからデータを受信するデータ受信機と、
上記コンフィグレーションデータに応じて上記ベースクロック信号の上記タイミング情報を処理し、各伝送パスに対応する各サンプリングクロックを生成するプロセッサと、
上記コンフィグレーションデータに基づいて、上記サンプリングクロックを上記各伝送パスからのデータに関連付け、上記ストリーミングデータ信号を再生するロジックと
を有する受信ノードと
を備えるデータ通信システム。
【請求項２】
上記ストリーミングデータ信号のデータは、上記通信リンクを介して、データフレームによって搬送されることを特徴とする請求項１記載のデータ通信システム。
【請求項３】
上記タイミング情報は、上記データフレームのヘッダに含まれていることを特徴とする請求項２記載のデータ通信システム。
【請求項４】
上記コンフィグレーションデータは、上記ストリーミングデータ信号の少なくとも１つについて、上記対応するベースクロック信号と、上記各ストリーミングデータ信号のサンプリングレートとの間の関係を指定する乗数を表し、上記プロセッサは、上記ベースクロック信号及び上記乗数に基づいて上記サンプリングクロックを生成することを特徴とする請求項１記載のデータ通信システム。
【請求項５】
上記コンフィグレーションデータは、上記ベースクロック信号のそれぞれの公称周波数値を表すことを特徴とする請求項１記載のデータ通信システム。
【請求項６】
上記コンフィグレーションデータは、上記少なくとも２つのベースクロックのそれぞれの公差の値を含むことを特徴とする請求項５記載のデータ通信システム。
【請求項７】
上記コンフィグレーションデータは、上記ストリーミングデータ信号のそれぞれのデータフォーマットを特定するデータを含むことを特徴とする請求項１記載のデータ通信システム。
【請求項８】
上記受信ノードは、該受信ノードが上記特定のデータフォーマットを扱うことができるか否かを示す情報を上記送信ノードに送信することを特徴とする請求項７記載のデータ通信システム。
【請求項９】
上記コンフィグレーション送信手段は、上記通信リンクの開始時にコンフィグレーションデータを送信することを特徴とする請求項１記載のデータ通信システム。
【請求項１０】
上記受信ノードは、上記コンフィグレーションデータの受信の確認応答を送信する確認応答送信手段を備えることを特徴とする請求項９記載のデータ通信システム。
【請求項１１】
上記コンフィグレーション送信手段は、上記確認応答を受信すると、上記コンフィグレーションデータの送信を終了することを特徴とする請求項１記載のデータ通信システム。
【請求項１２】
上記コンフィグレーションデータは、周期的に送信されることを特徴とする請求項９記載のデータ通信システム。
【請求項１３】
上記通信リンクは、イーサネット（登録商標）通信リンクであることを特徴とする請求項１記載のデータ通信システム。
【請求項１４】
上記タイミング情報は、周期的な基準クロックに関連して定義されることを特徴とする請求項１記載のデータ通信システム。
【請求項１５】
上記周期的な基準クロックは、イーサネット（登録商標）物理層クロックであることを特徴とする請求項１３記載のデータ通信システム。
【請求項１６】
上記タイミング情報は、所定の基準点に関して、上記対応するベースクロック信号の周波数を所定の整数で除算した値に等しい周波数を有するベース関連クロック信号のエッジ位置を指定することを特徴とする請求項１３記載のデータ通信システム。
【請求項１７】
上記所定の基準点は、上記送信ノードにおけるフレームヘッダの出力の完了に対応することを特徴とする請求項１５記載のデータ通信システム。
【請求項１８】
上記タイミング情報は、上記所定の基準点と、上記ベース関連クロック信号の後続するエッジ位置との間の上記周期的な基準クロックのサイクル数を指定することを特徴とする請求項１５記載のデータ通信システム。
【請求項１９】
上記後続するエッジ位置は、次のベース関連クロック信号のエッジ位置であることを特徴とする請求項１６記載のデータ通信システム。
【請求項２０】
上記後続するエッジ位置は、１つおいて隣のベース関連クロック信号のエッジ位置であることを特徴とする請求項１６記載のデータ通信システム。
【請求項２１】
上記ストリーミングデータ信号は、オーディオデータ信号であることを特徴とする請求項１記載のデータ通信システム。
【請求項２２】
データ通信システムにおいて使用する送信ノードにおいて、
通信リンクの各伝送パスを介して、少なくとも２つのストリーミングデータ信号からのデータを送信するデータ送信手段と、
上記通信リンクを介して、少なくとも２つのベースクロック信号のタイミング情報を送信するタイミング送信手段と、
上記各伝送パスと、対応する上記ベースクロック信号の１つとの間の各関係を特定し、該伝送パスをいずれかのベースクロック信号に関連付けるコンフィグレーションデータを送信するコンフィグレーション送信手段とを備える送信ノード。
【請求項２３】
データ通信システムにおいて使用する受信ノードにおいて、
上記通信リンクの上記伝送パスから、少なくとも２つのベースクロック信号のタイミング情報と、少なくとも２つのストリーミングデータ信号からのデータと、上記各伝送パスと、対応する上記ベースクロック信号の１つとの間の各関係を特定し、該伝送パスをいずれかのベースクロック信号に関連付けるコンフィグレーションデータとを含むデータを受信するデータ受信機と、
上記コンフィグレーションデータに応じて上記ベースクロック信号の上記タイミング情報を処理し、各伝送パスに対応する各サンプリングクロックを生成するプロセッサと、
上記コンフィグレーションデータに基づいて、上記サンプリングクロックを上記各伝送パスからのデータに関連付け、上記ストリーミングデータ信号を再生するロジックとを備える受信ノード。
【請求項２４】
通信リンクを介して、送信ノードと受信ノードとの間で通信を行う通信方法において、
上記送信ノードにおいて、
通信リンクの各伝送パスを介して、少なくとも２つのストリーミングデータ信号からのデータを送信するステップと、
上記通信リンクを介して、少なくとも２つのベースクロック信号のタイミング情報を送信するステップと、
上記各伝送パスと、対応する上記ベースクロック信号の１つとの間の各関係を特定し、該伝送パスをいずれかのベースクロック信号に関連付けるコンフィグレーションデータを送信するステップと、
上記受信ノードにおいて、
上記通信リンクの上記伝送パスからデータを受信するステップと、
上記コンフィグレーションデータに応じて上記ベースクロック信号の上記タイミング情報を処理し、各伝送パスに対応する各サンプリングクロックを生成するステップと、
上記コンフィグレーションデータに基づいて、上記サンプリングクロックを上記各伝送パスからのデータに関連付け、上記ストリーミングデータ信号を再生するステップとを有する通信方法。
【請求項２５】
データ通信システムにおいて使用する送信ノードの動作方法において、
通信リンクの各伝送パスを介して、少なくとも２つのストリーミングデータ信号からのデータを送信するステップと、
上記通信リンクを介して、少なくとも２つのベースクロック信号のタイミング情報を送信するステップと、
上記各伝送パスと、対応する上記ベースクロック信号の１つとの間の各関係を特定し、該伝送パスをいずれかのベースクロック信号に関連付けるコンフィグレーションデータを送信するステップとを有する送信ノードの動作方法。
【請求項２６】
データ通信システムにおいて使用する受信ノードの動作方法において、
上記通信リンクの上記伝送パスから少なくとも２つのベースクロック信号のタイミング情報と、少なくとも２つのストリーミングデータ信号からのデータと、上記各伝送パスと、対応する上記ベースクロック信号の１つとの間の各関係を特定し、該伝送パスをいずれかのベースクロック信号に関連付けるコンフィグレーションデータとを含むデータを受信するステップと、
上記コンフィグレーションデータに応じて上記ベースクロック信号の上記タイミング情報を処理し、各伝送パスに対応する各サンプリングクロックを生成するステップと、
上記コンフィグレーションデータに基づいて、上記サンプリングクロックを上記各伝送パスからのデータに関連付け、上記ストリーミングデータ信号を再生するステップとを有する受信ノードの動作方法。
【請求項２７】
請求項２４記載の通信方法における各ステップを実行するプログラムコードを有するコンピュータソフトウェア。
【請求項２８】
請求項２７記載のコンピュータソフトウェアを記録した記録媒体。